Podtech/llm-jp-corpus-v4-ja_patent huggingface dataset:
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
ａ）成長ホルモン分泌促進因子受容体（ＧＨＳ−Ｒ１ａ）のｉ）Ｎ末端、ｉｉ）細胞外ループ１およびｉｉ）細胞外ループ２のうち少なくとも１つと
ｂ）前記に連結された融合パートナー
とを含んでなる可溶性融合分子。
【請求項２】
ａ）ＧＨＳ−Ｒ１ａのｉ）Ｎ末端、ｉｉ）細胞外ループ１およびｉｉ）細胞外ループ２のうち少なくとも２つを含んでなる、請求項１に記載の可溶性融合分子。
【請求項３】
ａ）ＧＨＳ−Ｒ１ａのｉ）Ｎ末端、ｉｉ）細胞外ループ１およびｉｉｉ）細胞外ループ２を含んでなる、請求項１に記載の可溶性融合分子。
【請求項４】
ａ）ＧＨＳ−Ｒ１ａのｉ）Ｎ末端、ｉｉ）細胞外ループ１およびｉｉｉ）細胞外ループ２からなる、請求項１に記載の可溶性融合分子。
【請求項５】
前記Ｎ末端のアミノ酸配列が配列番号４もしくは１３またはその変異体で示されるか、あるいは、配列番号３もしくは１２またはその変異体で示される核酸配列によりコードされる、請求項１〜４のいずれか一項に記載の可溶性融合分子。
【請求項６】
前記細胞外ループ１のアミノ酸配列が配列番号６もしくは１５またはその変異体で示されるか、あるいは、配列番号５もしくは１４またはその変異体で示される核酸配列によりコードされる、請求項１〜４のいずれか一項に記載の可溶性融合分子。
【請求項７】
前記細胞外ループ２のアミノ酸配列が配列番号８もしくは１７またはその変異体で示されるか、あるいは、配列番号７もしくは１６またはその変異体で示される核酸配列によりコードされる、請求項１〜４のいずれか一項に記載の可溶性融合分子。
【請求項８】
前記融合パートナーが免疫グロブリン定常領域（Ｆｃ）である、請求項１〜７のいずれか一項に記載の可溶性融合分子。
【請求項９】
前記Ｆｃ領域がＩｇＧ２またはＩｇＧ４である、請求項８に記載の可溶性融合分子。
【請求項１０】
ａ）とｂ）の間にペプチドリンカーをさらに含んでなる、請求項１〜９のいずれか一項に記載の可溶性融合分子。
【請求項１１】
配列番号２もしくは１１またはその変異体で示されるか、あるいは、配列番号１もしくは１０またはその変異体で示される核酸配列によりコードされるアミノ酸配列を含んでなる、請求項１に記載の可溶性融合分子。
【請求項１２】
前記融合パートナーがタンパク質である、請求項１〜１１のいずれか一項に記載の融合タンパク質をコードする核酸分子。
【請求項１３】
請求項１２に記載の核酸分子を含んでなる宿主細胞。
【請求項１４】
請求項１〜１１のいずれか一項に記載の可溶性融合分子、請求項１２に記載の核酸分子または請求項１３に記載の宿主細胞と薬学的に許容可能な担体とを含んでなる医薬組成物。
【請求項１５】
Ｎ末端、細胞外ループ１および／もしくは細胞外ループ２またはそれらの組合せから選択されるＧＨＳ−Ｒ１ａ細胞外ドメインと薬学的に許容可能な担体とを含んでなる医薬組成物。
【請求項１６】
動物における脂肪過多を軽減することに用いるための、請求項１４または１５に記載の医薬組成物。
【請求項１７】
動物において体重増加を軽減することに用いるための、請求項１４または１５に記載の医薬組成物。
【請求項１８】
動物において肥満または肥満関連病態を治療することに用いるための、請求項１４または１５に記載の医薬組成物。
【請求項１９】
前記肥満関連病態が２型糖尿病、心血管疾患または癌である、請求項１８に記載の医薬組成物。
【請求項２０】
前記癌が食道、乳房、子宮内膜、結腸直腸および膵臓の癌である、請求項１９に記載の医薬組成物。
【請求項２１】
前記肥満関連病態が高コレステロール、高トリグリセリド、高血圧性代謝症候群または多嚢胞性卵巣症候群（ＰＣＯＳ）である、請求項１８に記載の医薬組成物。
【請求項２２】
動物においてグルコース耐性および／またはインスリン感受性を改善することに用いるための、請求項１４または１５に記載の医薬組成物。
【請求項２３】
前記動物が２型糖尿病を有する、請求項１６〜２２のいずれか一項に記載の医薬組成物。
【請求項２４】
前記動物がヒトである、請求項１６〜２３のいずれか一項に記載の医薬組成物。
【請求項２５】
ＧＨＳ−Ｒ１ａの前記細胞外ドメインが細胞外ループ２および／または細胞外ループ１を含んでなる、請求項１５〜２４のいずれか一項に記載の医薬組成物。
【請求項２６】
ＧＨＳ−Ｒ１ａの前記細胞外ドメインが細胞外ループ２からなる、請求項１５〜２４のいずれか一項に記載の医薬組成物。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
キメラポリペプチドを含む、植物産生ＴＮＦαポリペプチド阻害剤であって、
前記キメラポリペプチドが
（ｉ）ＴＮＦ受容体のＴＮＦα結合ドメインを含む第１のドメインと、
（ｉｉ）免疫グロブリンのＦｃドメインを含む第２のドメインと
を含み、前記第１のドメインおよび前記第２のドメインがそれぞれＮ末端からＣ末端へと順次、翻訳的に融合しており、キメラポリペプチドがＴＮＦαに特異的に結合する、植物産生ＴＮＦαポリペプチド阻害剤。
【請求項２】
前記キメラポリペプチドが小胞体保留シグナルを含む第３のドメインをさらに含み、前記第１のドメイン、第２のドメインおよび第３のドメインがそれぞれＮ末端からＣ末端へと順次、翻訳的に融合している、請求項１に記載のＴＮＦαポリペプチド阻害剤。
【請求項３】
前記第１のドメインとＮ末端で翻訳的に融合した小胞体シグナルペプチドをコードするさらなるドメインを含む、請求項１または２に記載のＴＮＦαポリペプチド阻害剤。
【請求項４】
前記シグナルペプチドが植物シグナルペプチドである、請求項３に記載のＴＮＦαポリペプチド阻害剤。
【請求項５】
前記植物シグナルペプチドが配列番号４に示される通りである、請求項４に記載のＴＮＦαポリペプチド阻害剤。
【請求項６】
前記第２のドメインと、Ｃ末端で翻訳的に融合した小胞体保留シグナルをコードするさらなるドメインを含む、請求項３または４に記載のＴＮＦαポリペプチド阻害剤。
【請求項７】
前記小胞体保留シグナルがＳＥＫＤＥＬ（配列番号１６）である、請求項６に記載のＴＮＦαポリペプチド阻害剤。
【請求項８】
前記第１のドメインが２００〜２５０アミノ酸長である、請求項１から７のいずれか一項に記載のＴＮＦαポリペプチド阻害剤。
【請求項９】
前記第１のドメインがアミノ酸配列ＬＣＡＰ（配列番号１１）およびＶＦＣＴ（配列番号１２）を含む、請求項８に記載のＴＮＦαポリペプチド阻害剤。
【請求項１０】
前記第１のドメインがアミノ酸配列ＬＰＡＱＶＡＦＸＰＹＡＰＥＰＧＳＴＣ（配列番号１３）をさらに含む、請求項９に記載のＴＮＦαポリペプチド阻害剤。
【請求項１１】
前記第１のドメインが配列番号２に示される通りである、請求項１０に記載のＴＮＦαポリペプチド阻害剤。
【請求項１２】
前記免疫グロブリンがＩｇＧ１である、請求項１から１１のいずれか一項に記載のＴＮＦαポリペプチド阻害剤。
【請求項１３】
前記第２のドメインが配列番号９に示される通りである、請求項１から１１のいずれか一項に記載のＴＮＦαポリペプチド阻害剤。
【請求項１４】
前記キメラポリペプチドが配列番号６に示される通りである、請求項１から１１のいずれか一項に記載のＴＮＦαポリペプチド阻害剤。
【請求項１５】
前記キメラポリペプチドが配列番号７、２０４または２０５に示される通りである、請求項２に記載のＴＮＦαポリペプチド阻害剤。
【請求項１６】
前記キメラポリペプチドがＴＮＦα誘導アポトーシスを阻害することができる、請求項１または２に記載のＴＮＦαポリペプチド阻害剤。
【請求項１７】
植物特異的グリカンを含む、請求項１から１６のいずれか一項に記載のＴＮＦαポリペプチド阻害剤。
【請求項１８】
前記植物特異的グリカンがコアキシロースおよびコアα−（１，３）フコースからなる群から選択される、請求項１７に記載のＴＮＦαポリペプチド阻害剤。
【請求項１９】
前記ポリペプチドが少なくとも９８％の均質性まで精製されている、請求項１から１８のいずれか一項に記載のＴＮＦαポリペプチド阻害剤。
【請求項２０】
ＴＮＦα誘導アポトーシスを阻害することができる、請求項１から１９のいずれか一項に記載のＴＮＦαポリペプチド阻害剤。
【請求項２１】
請求項１から２０のいずれか一項に記載のＴＮＦαポリペプチド阻害剤をコードする核酸配列を含む単離ポリヌクレオチド。
【請求項２２】
配列番号５に示される通りである、請求項２１に記載の単離ポリヌクレオチド。
【請求項２３】
請求項１から２０のいずれか一項に記載のＴＮＦαポリペプチド阻害剤をコードする核酸配列と、植物細胞で活性なシス作用性調節エレメントとを含む核酸発現構築物。
【請求項２４】
請求項２３に記載の前記核酸発現構築物を含む、植物細胞。
【請求項２５】
タバコ（Ｎｉｃｏｔｉａｎａ  ｔａｂａｃｕｍ）植物細胞である、請求項２４に記載の植物細胞。
【請求項２６】
前記タバコ（Ｎｉｃｏｔｉａｎａ  ｔａｂａｃｕｍ）Ｌ．ｃｖ植物細胞がブライトイエロー（ＢＹ−２）細胞である、請求項２５に記載の植物細胞。
【請求項２７】
凍結乾燥されている、請求項２４から２６のいずれか一項に記載の植物細胞。
【請求項２８】
請求項２４から２７のいずれか一項に記載の植物細胞を含む植物細胞懸濁培養液。
【請求項２９】
有効成分としての請求項１から２０のいずれか一項に記載のＴＮＦαポリペプチド阻害剤または請求項２４から２７のいずれか一項に記載の植物細胞と、薬学的に許容される担体とを含む医薬組成物。
【請求項３０】
対象のＴＮＦα関連の医学的状態を治療するのに使用するための、請求項１から２０のいずれか一項に記載のＴＮＦαポリペプチド阻害剤、または請求項２４から２７のいずれか一項に記載の植物細胞、または請求項２９に記載の医薬組成物。
【請求項３１】
前記医学的状態が炎症性疾患である、請求項３０に記載のＴＮＦαポリペプチド阻害剤または植物細胞または医薬組成物。
【請求項３２】
前記医学的状態が自己免疫疾患である、請求項３０に記載のＴＮＦαポリペプチド阻害剤または植物細胞または医薬組成物。
【請求項３３】
前記医学的状態が関節リウマチ、炎症性腸疾患、敗血症、内毒素ショック、ＡＩＤＳ、子宮内膜症、乾癬、心血管疾患、がん、白斑、関節炎、リウマチ性多発性関節炎、乾癬性リウマチ、強直性脊椎炎、尋常性乾癬、若年性突発性関節炎、多関節型若年性突発性関節炎、乾癬性関節炎、ウェゲナー病（肉芽腫症）、クローン病、潰瘍性大腸炎、短腸症候群、慢性閉塞性肺疾患（ＣＯＰＤ）、Ｃ型肝炎、喘息、悪液質、アトピー性皮膚炎、アルツハイマー病、肝性脳症、ＡＤＨＤ、慢性疲労症候群、疱疹状皮膚炎（デューリング病）、接触性皮膚炎、蕁麻疹（慢性突発性蕁麻疹を含む）、尋常性天疱瘡、水泡性類天疱瘡を含む自己免疫性水疱症、重症筋無力症、肺サルコイドーシスを含むサルコイドーシス、強皮症、反応性関節炎、高ＩｇＥ症候群、多発性硬化症および突発性好酸球増加症候群およびアレルギーからなる群から選択される、請求項３０に記載のＴＮＦαポリペプチド阻害剤または植物細胞または医薬組成物。
【請求項３４】
請求項１から２０のいずれか一項に記載のＴＮＦαポリペプチド阻害剤を産生する方法であって、
請求項２４から２７のいずれか一項に記載の細胞を用意するステップと、
前記ポリペプチドを産生するように前記細胞を培養するステップと
を含む方法。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
以下を含む化学コンビナート：
高圧ポリエチレン装置、ガス相ポリエチレン装置、スラリー相ポリエチレン装置、溶液相ポリエチレン装置、酢酸装置、酢酸ビニル装置、エチレンエポキシド装置、エチレングリコール装置、エタノール装置、エチレンハロゲン化物装置、エタノール脱水素化装置、および酢酸脱水素化装置からなる群から選択される１または２以上の装置操作；
およびＣ２極低温蒸留塔および水素化装置の少なくとも１つを供給してアセチレンを除去する水蒸気分解装置；
エチレンおよびエタンの混合ストリームにおいて、エタンの酸化脱水素化のための酸化脱水素化装置を
ｉ）Ｃ２極低温蒸留塔からのボトムストリーム、または；
ｉｉ）Ｃ２極低温蒸留塔から下部トレイからの供給をとり、Ｃ２極低温蒸留塔中の上部トレイに生成物を戻すＣ２極低温蒸留塔、または；
ｉ）およびｉｉ）の両方と統合することからなる改良；
ここで、エチレンへのエタンの酸化脱水素化は、２５０℃〜６００℃の温度、０．５〜１００ｐｓｉ（３．４〜６８９．５ｋＰａ）の圧力で実施され、以下からなる群から選択される触媒の存在下で毎時触媒１ｋｇ当たり１０００ｇ以上のオレフィンの生産性を有する：
ｉ）以下の式の触媒であり：
NixAaBbDdOe
式中、xは０．１〜０．９の数、好ましくは、０．３〜０．９、更に好ましくは０．５〜０．８５、最も好ましくは、０．６〜０．８であり；
aは０．０４〜０．９の数であり；
bは０〜０．５の数であり； 
dは０〜０．５の数であり；
eは触媒の原子価状態を満たす数であり；
AはTi、Ta、V、Nb、Hf、W、Y、Zn、Zr、SiおよびAlまたはそれらの混合物からなる群から選択され；
BはLa、Ce、Pr、Nd、Sm、Sb、Sn、Bi、Pb、Tl、In、Te、Cr、Mn、Mo、Fe、Co、Cu、Ru、Rh、Pd、Pt、Ag、Cd、Os、Ir、Au、Hgおよびそれらの混合物からなる群から選択され；
DはCa、K、Mg、Li、Na、Sr、Ba、Cs、およびRbおよびそれらの混合物からなる群から選択され；および 
Oは酸素であり；および
ｉｉ）以下の式の触媒であり：
MofXgYhOi
式中、XはBa、Ca、Cr、Mn、Nb、Ta、Ti、Te、V、Wおよびそれらの混合物からなる群から選択され；
YはBi、Ce、Co、Cu、Fe、K、Mg、V、Ni、P、Pb、Sb、Si、Sn、Ti、U、およびそれらの混合物からなる群から選択され；
f=1；
ｇは０〜２であり；
ｈ＝０〜２、ただし、Co、Ni、Feおよびそれらの混合物のｈの合計値が０．５未満であり；
iは触媒の原子価状態を満たす数であり；
ｉｉｉ）以下の式の触媒であり： 
VxMoyNbzTemMenOp
式中、MeはTa、Ti、W、Hf、Zr、Sbおよびそれらの混合物からなる群から選択される金属であり；および
ｘは０．１〜３であり；
ｙは０．５〜１．５であり；
ｚは０．００１〜３であり；
ｍは０．００１〜５であり；
ｎは０〜２であり；
およびｐは混合された酸化物触媒の原子価状態を満たす数であり；
ｉｖ）以下の式の触媒であり： 
MoaVbNbcTeeOn
式中、a＝１．０；ｂ＝０．０５〜１．０、ｃ＝０．００１〜１．０、e＝０．００１〜０．５、およびｎは他の成分の酸化状態により決定され；および
ｖ）以下の式の触媒であり： 
MoaVbXcYdZeMfOn
式中、Xは少なくともNbおよびTaのうちの１つであり；Yは少なくともSbおよびNiのうちの１つであり；Zは少なくともTe、Ga、Pd、W、BiおよびAlのうちの１つであり；Mは少なくともFe、Co、Cu、Cr、Ti、Ce、Zr、Mn、Pb、Mg、Sn、Pt、Si、La、K、AgおよびInのうちの１つであり；a＝１．０（正規化）；ｂ＝０．０５〜１．０；ｃ＝０．００１〜１．０；ｄ＝０．００１〜１．０；e＝０．００１〜０．５；およびｆ＝０．００１〜０．３；およびｎは他の成分の酸化状態により決定される、上記化学コンビナート。
【請求項２】
式（ｉｉｉ）の前記触媒中、ｎが０である、請求項１に記載の化学コンビナート。
【請求項３】
酸化脱水素化装置は、エチレンを製造するために９５％以上の選択性を有する、請求項１に記載の化学コンビナート。
【請求項４】
酸化脱水素化触媒はチタン、ジルコニア、アルミニウム、マグネシウム、イットリア、ランタナ、シリカの酸化物およびそれらの混合組成物から選択される不活性多孔質セラミック膜上に支持され、前記触媒の０．１〜２０重量％および前記多孔質膜の９９．９〜８０重量％を供給する、請求項３に記載の化学コンビナート。
【請求項５】
酸化脱水素化装置は、外殻とセラミックチューブの内部で酸素含有ガスの分離流路を画定する１または２以上の前記内部セラミックチューブと反応器の外壁とエチレン含有ガスの流路を画定するセラミックチューブの間の通路を含む、請求項４に記載の化学コンビナート。
【請求項６】
セラミックチューブはさらに内部スチールメッシュと外部スチールメッシュを含む、請求項５に記載の化学コンビナート。
【請求項７】
エチレンへのエタンの酸化脱水素化は３００℃〜５５０℃の温度で実施される、請求項６に記載の化学コンビナート。
【請求項８】
エチレン塩化物装置は、必要に応じて、エチル塩化物、エチレン塩化物、二塩化エチレン、臭化エチル、臭化エチレンおよび二臭化エチレンからなる群から選択される１または２以上の生成物を生成されるハロゲン化物と酸素の存在下、エチレンを反応する、請求項６に記載のコンビナート。
【請求項９】
酢酸装置が、酸化脱水素化装置、水蒸気分解装置または両方からの１または２以上のエタンおよびエチレンを酸化し、酢酸を生成する、請求項６に記載のコンビナート。
【請求項１０】
酢酸装置からの酢酸はエチレンと反応して酢酸ビニルを生成する、請求項９に記載のコンビナート。
【請求項１１】
酸化脱水素化触媒は、チタン、ジルコニア、アルミニウム、マグネシウム、イットリア、ランタナ、シリカの酸化物およびそれらの混合組成物から選択される２０〜５ｍ２／ｇの表面積を有する不活性セラミック担体上に支持され、触媒の０．１〜２０重量％および前記不活性セラミック担体の９９．９〜８０重量％を供給する、請求項３に記載の化学コンビナート。
【請求項１２】
エチレン塩化物装置は、必要に応じて、エチル塩化物、エチレン塩化物、二塩化エチレン、臭化エチル、臭化エチレンおよび二臭化エチレンからなる群から選択される１または２以上の生成物を生成されるハロゲン化物と酸素の存在下、エチレンを反応する、請求項１１に記載のコンビナート。
【請求項１３】
酢酸装置が、酸化脱水素化工程、水蒸気分解装置または両方からの１または２以上のエタンおよびエチレンを酸化し、酢酸を生成する、請求項１１に記載のコンビナート。
【請求項１４】
酢酸装置からの酢酸はエチレンと反応して酢酸ビニルを生成する、請求項１３に記載のコンビナート。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
式：
【化１】
2016510768.tif 000001
の化合物１の結晶形態ＳＵＣ−Ｐ５であって、
下記ピークから選択される２本以上のピークをそのＸＲＰＤパターン中に有することによって特徴付けられる結晶形態ＳＵＣ−Ｐ５。
角度２θ（°）
７．４
１５．６
１６．５
１８．５
２２．２
【請求項２】
化合物１とコハク酸との共結晶である、請求項１に記載の結晶形態ＳＵＣ−Ｐ５。
【請求項３】
コハク酸塩である、請求項１に記載の結晶形態ＳＵＣ−Ｐ５。
【請求項４】
半コハク酸塩である、請求項１に記載の結晶形態ＳＵＣ−Ｐ５。
【請求項５】
不純物を実質的に含まない、請求項１に記載の結晶形態ＳＵＣ−Ｐ５。
【請求項６】
不純物を重量で９９％含まない、請求項１に記載の結晶形態ＳＵＣ−Ｐ５。
【請求項７】
不純物を重量で９７％含まない、請求項１に記載の結晶形態ＳＵＣ−Ｐ５。
【請求項８】
不純物を重量で９５％含まない、請求項１に記載の結晶形態ＳＵＣ−Ｐ５。
【請求項９】
非晶質の化合物１を含まない、請求項１に記載の結晶形態ＳＵＣ−Ｐ５。
【請求項１０】
図８７に示されたＸ線粉末回折（ＸＲＰＤ）パターンにより特徴付けられる、化合物１の結晶形態ＳＵＣ−Ｐ５。
【請求項１１】
下記ピークから選択される４本以上のピークをそのＸＲＰＤパターン中に有することによって特徴付けられる、請求項１に記載の結晶形態ＳＵＣ−Ｐ５。
角度２θ（°）
７．４
８．３
１０．５
１１．７
１３．２
１５．６
１６．５
１８．５
２２．２
【請求項１２】
約２０７℃のピーク温度（Ｔｍａｘ）を有する吸熱のあるＤＳＣサーモグラムにより特徴付けられる、請求項１に記載の結晶形態ＳＵＣ−Ｐ５。
【請求項１３】
約６．７Ｊ／ｇ又は約９２．６Ｊ／ｇのΔＨを有するＤＳＣサーモグラムにより特徴付けられる、請求項１に記載の結晶形態ＳＵＣ−Ｐ５。
【請求項１４】
請求項１〜１３のいずれか一項に記載の結晶形態ＳＵＣ−Ｐ５を含み、任意選択で、薬学的に許容される担体をさらに含む医薬組成物。
【請求項１５】
請求項１４に記載の組成物を含む治療剤。
【請求項１６】
請求項１〜１３のいずれか一項に記載の結晶形態ＳＵＣ−Ｐ５を有効成分として含有する医薬。
【請求項１７】
不安又はうつ病を治療するための医薬である、請求項１６に記載の医薬。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
対象における顕性１型糖尿病を処置又は予防するための医薬品の製造のための、１種以上の幹細胞及び／又は前駆細胞と、少なくとも１種の免疫グロブリン−ポリペプチドキメラとの使用であって、該免疫グロブリン−ポリペプチドキメラが、疾患特異性Ｔ細胞又はＢ細胞エピトープを発現させる、前記使用。
【請求項２】
前記対象が、哺乳動物である、請求項１に記載の使用。
【請求項３】
前記幹細胞及び／又は前駆細胞が、全能性、多能性、複能性又は単能性である、請求項１に記載の使用。
【請求項４】
前記幹細胞及び／又は前駆細胞が、骨髄から単離される、請求項１に記載の使用。
【請求項５】
前記幹細胞及び／又は前駆細胞が、精製された骨髄内皮前駆細胞である、請求項４に記載の使用。
【請求項６】
前記幹細胞及び／又は前駆細胞が、同種異系細胞である、請求項１に記載の使用。
【請求項７】
前記幹細胞及び／又は前駆細胞が、自家細胞である、請求項１に記載の使用。
【請求項８】
前記免疫グロブリン−ポリペプチドキメラが、可溶性である、請求項１に記載の使用。
【請求項９】
前記免疫グロブリン−ポリペプチドキメラが、凝集されている、請求項１に記載の使用。
【請求項１０】
前記免疫グロブリン−ポリペプチドキメラが、ＣＤＲ３領域を有する免疫グロブリンを含み、催糖尿病性エピトープが、該ＣＤＲ３領域内に挿入されている、請求項１に記載の使用。
【請求項１１】
前記催糖尿病性エピトープが、ＧＡＤ２（ＳＥＱ  ＩＤ  ＮＯ：１）、ＧＡＤ１（ＳＥＱ  ＩＤ  ＮＯ：２）又はＩＮＳβ（ＳＥＱ  ＩＤ  ＮＯ：３）を含む、請求項１０に記載の使用。
【請求項１２】
１種以上の幹細胞及び／又は前駆細胞と、少なくとも１種の免疫グロブリン−ポリペプチドキメラとを含む組成物であって、該免疫グロブリン−ポリペプチドキメラが、疾患特異性Ｔ細胞又はＢ細胞エピトープを発現させる、前記組成物。
【請求項１３】
前記幹細胞及び／又は前駆細胞が、全能性、多能性、複能性又は単能性である、請求項１２に記載の組成物。
【請求項１４】
前記幹細胞及び／又は前駆細胞が、骨髄から単離される、請求項１２に記載の組成物。
【請求項１５】
前記幹細胞及び／又は前駆細胞が、精製された骨髄内皮前駆細胞である、請求項１２に記載の組成物。
【請求項１６】
前記幹細胞及び／又は前駆細胞が、同種異系細胞である、請求項１２に記載の組成物。
【請求項１７】
前記幹細胞及び／又は前駆細胞が、自家細胞である、請求項１２に記載の組成物。
【請求項１８】
前記免疫グロブリン−ポリペプチドキメラが、可溶性である、請求項１２に記載の組成物。
【請求項１９】
前記免疫グロブリン−ポリペプチドキメラが、凝集されている、請求項１２に記載の組成物。
【請求項２０】
前記免疫グロブリン−ポリペプチドキメラが、ＣＤＲ３領域を有する免疫グロブリンを含み、催糖尿病性エピトープが、該ＣＤＲ３領域内に挿入されている、請求項１２に記載の組成物。
【請求項２１】
前記催糖尿病性エピトープが、ＧＡＤ２（ＳＥＱ  ＩＤ  ＮＯ：１）、ＧＡＤ１（ＳＥＱ  ＩＤ  ＮＯ：２）又はＩＮＳβ（ＳＥＱ  ＩＤ  ＮＯ：３）を含む、請求項２０に記載の組成物。
【請求項２２】
対象における顕性１型糖尿病を処置又は予防するための医薬品の製造のための、精製された骨髄内皮前駆細胞と、免疫グロブリンＩｇ−ＧＡＤ２とを含む組成物の使用。
【請求項２３】
前記前駆細胞が、前記対象の膵臓に直接送達される、請求項２２に記載の使用。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
それを必要とする患者においてグルテン不耐症または関連する状態を調節する方法であって、
有効量のネペンテシンまたはその誘導体を前記患者に投与することを含む、方法。
【請求項２】
ネペンテシンまたはその誘導体が、グルテンを含有するかまたはグルテンを含有する可能性のある食物の摂取前、その摂取と共に、またはその摂取後に前記患者に投与される、請求項１に記載の方法。
【請求項３】
ネペンテシンがネペンテシンＩおよび／またはネペンテシンＩＩである、請求項１に記載の方法。
【請求項４】
ネペンテシンが組み換え型のネペンテシンＩおよび／またはネペンテシンＩＩである、請求項１ないし３のいずれか１項に記載の方法。
【請求項５】
ネペンテシン誘導体が、ネペンテシンＩおよび／またはネペンテシンＩＩと少なくとも約８５％の配列相同性を共有し、プロテアーゼ活性を保持する、請求項１ないし４のいずれか１項に記載の方法。
【請求項６】
組み換え型ネペンテシンまたはその誘導体を含む組成物。
【請求項７】
ネペンテシンがネペンテシンＩおよび／またはネペンテシンＩＩである、請求項６に記載の組成物。
【請求項８】
ネペンテシンが組み換え型のネペンテシンＩおよび／またはネペンテシンＩＩである、請求項６に記載の方法。
【請求項９】
断片化グルテンを含む組成物であって、グルテンのプロリン残基でのグルテンの切断により産生されるグルテン断片を多く含む、組成物。
【請求項１０】
断片化グルテンを含む組成物であって、グルテンのグルタミン残基でのグルテンの切断により産生されるグルテン断片を多く含む、組成物。
【請求項１１】
それを必要とする患者において消化管の感染症を治療する方法であって、ネペンテシンまたはその誘導体の有効量を前記患者に投与することを含む、方法。
【請求項１２】
ネペンテシン誘導体が、ネペンテシンＩおよび／またはネペンテシンＩＩと少なくとも約８５％の配列相同性を共有し、プロテアーゼ活性を保持する、請求項１１に記載の方法。
【請求項１３】
前記感染症がヘリコバクター属、クロストリジウム属、またはＢａｃｉｌｌｕｓ属の細菌により引き起こされる、請求項１１または１２のいずれか１項に記載の方法。
【請求項１４】
前記細菌がヘリコバクター・ピロリである、請求項１３に記載の方法。
【請求項１５】
グルテン不耐性を治療または軽減するための固体組成物であって、
（ａ）ネペンテシンＩの塩、ネペンテシンＩＩの塩、またはそれらの組み合わせからなる群より選択されるネペンテシンの有効量と、
（ｂ）前記固体組成物のｐＨを、前記ネペンテシンが投与前に不活性である、５またはそれ以上に維持するための有効量の緩衝液と、
を含み、
前記ネペンテシンの有効量が、前記固体組成物をグルテン不耐症の患者へと経口投与する際にグルテンを分解するのに十分な量である、組成物。
【請求項１６】
必要とする患者においてグルテンを調節するための方法であって、
有効量のネペンテシンＩ、ネペンテシンＩＩおよび／またはそれらの塩を含む組成物を前記患者に経口投与することを含み、
前記ネペンテシンＩ、ネペンテシンＩＩおよび／またはそれらの塩の前記有効量がグルテンを分解するのに十分であり、これによってグルテン不耐症を調節する、方法。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
プレプレグを硬化させるための方法であって、
（Ａ）熱硬化性樹脂組成物および繊維を含むプレプレグを用意する工程と、
（Ｂ）プレプレグを大気圧に対して減圧下に置く工程と、
（Ｃ）プレプレグ中の全重量を基準にして、プレプレグ中の約１重量％〜約３重量％の揮発性物質を除きかつプレプレグの粘度を約１〜約４０，０００ポアズの範囲に増大させるのに十分な時間、プレプレグを減圧下で室温に対して第１の上昇した温度に曝露する工程と、
（Ｄ）プレプレグを硬化させるのに十分な時間、大気圧に対して減圧下で、室温に対して上昇し第１の上昇した温度よりも高い第１後続温度にプレプレグを曝露する工程と、
（Ｅ）大気圧に対して減圧下または減圧されていない圧力で、第１の上昇した温度または上昇した第１後続もしくは第２後続温度のいずれか１または複数より低く室温に対して上昇した第２後続温度に硬化されたプレプレグを曝露する工程
を含む、方法。
【請求項２】
第１の上昇した温度が約１２０°Ｆ〜約３５０°Ｆの範囲である、請求項１に記載の方法。
【請求項３】
残存するすべての揮発性物質が、水、大気圧で低い沸点を有する材料に対して大気圧でより高い沸点を有する残存溶媒および／またはモノマー揮発性物質を含む、請求項１に記載の方法。
【請求項４】
熱硬化性樹脂組成物が、エポキシ、エピスルフィド、オキセタン、チオキセタン、マレイミド、ナジイミド、イタコンイミド、オキサジン、シアン酸エステル、およびオキサゾリンのうちの１種または複数を含む、請求項１に記載の方法。
【請求項５】
繊維が、炭素、ガラス、アラミド、ホウ素、ポリアルキレン、石英、ポリベンズイミダゾール、ポリエーテルエーテルケトン、ポリフェニレンスルフィド、ポリｐ−フェニレンベンゾビスオキサゾール、ポリｐ−フェニレンベンゾビスチアゾール、炭化ケイ素、フェノールホルムアルデヒド、フタレート、ポリピリドビスイミダゾール、およびナフテノエートからなる群から選択される１つである、請求項１に記載の方法。
【請求項６】
繊維がガラスであって、Ｓガラス、Ｓ２ガラス、Ｅガラス、Ｒガラス、Ａガラス、ＡＲガラス、Ｃガラス、Ｄガラス、ＥＣＲガラス、ガラスフィラメント、ステープルガラス、Ｔガラス、および酸化ジルコニウムガラスからなる群から選択される１つである、請求項５に記載の方法。
【請求項７】
繊維が炭素であって、ポリアクリロニトリル、ピッチ、レーヨン、またはアクリル樹脂から製造される、請求項５に記載の方法。
【請求項８】
繊維が、ベンゾオキサジン含有サイズ剤によりサイズ処理された炭素である、請求項１に記載の方法。
【請求項９】
熱硬化性樹脂組成物がオキサジンであって、１種または複数のベンゾオキサジンを含む、請求項４に記載の方法。
【請求項１０】
オキサジンが、以下の１種または複数を含むベンゾオキサジンである、請求項４に記載の方法。
【化１】
2016510087.tif 000001
【化２】
2016510087.tif 000002
（式中、Ｘは直接結合、ＣＨ２、Ｃ（ＣＨ３）２、Ｃ＝Ｏ、Ｓ、Ｓ＝ＯおよびＯ＝Ｓ＝Ｏからなる群から選択され、Ｒ１、Ｒ２、Ｒ３、およびＲ４は、同一または異なり、水素、アルキル、アルケニル、およびアリールからなる群から選択される。）
【化３】
2016510087.tif 000003
（式中、Ｒはアルキルまたはアリールであり、Ｒ４は水素、ハロゲン、アルキル、およびアルケニルから選択される。）
【請求項１１】
オキサジンが、以下の１種または複数を含むベンゾオキサジンである、請求項４に記載の方法。
【化４】
2016510087.tif 000004
【化５】
2016510087.tif 000005
【請求項１２】
減圧が、６８６ｍｍＨｇ（１３．３ｐｓｉ）より高い、請求項１に記載の方法。
【請求項１３】
第１の上昇した温度が約２００°Ｆであり、時間が約２時間である、請求項１に記載の方法。
【請求項１４】
工程（Ｄ）の上昇した第１後続温度が約３６０°Ｆであり、時間が約２時間である、請求項１に記載の方法。
【請求項１５】
工程（Ｅ）の上昇した第２後続温度が約９０°Ｆである、請求項１に記載の方法。
【請求項１６】
硬化されたプレプレグが室温での貯蔵安定性である、請求項１に記載の方法。
【請求項１７】
硬化されたプレプレグが、およそ１／８インチより大きい検出可能な空洞が実質的にないことをｃ−スキャンを用いて示す、請求項１に記載の方法。
【請求項１８】
硬化されたプレプレグが、ＡＳＴＭ  ３１７１−１１を用いる酸分解によって測定された約１〜２体積％未満の総空洞量を示す、請求項１に記載の方法。
【請求項１９】
工程（Ｃ）の後であるが工程（Ｄ）の前に減圧下で室温に対して第２の上昇した温度にプレプレグを曝露し、前記第２の上昇した温度は第１の上昇した温度よりも高く、プレプレグ中に残存する揮発性物質を除くのに十分な時間である、請求項１に記載の方法。
【請求項２０】
第２の上昇した温度が約２９０°Ｆであり、時間が約３時間である、請求項１９に記載の方法。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
エアゾール缶用の水系塗料組成物において、
Ａ）５５〜７５重量％の塗料成分であって、該塗料成分に対して、４０〜７５重量％の、水性媒体中のアクリレートベースの塗膜形成剤と、１０重量％までの水混和性極性溶剤と、３０重量％までの顔料と、１５重量％までの艶消し剤と、２〜１５重量％の添加剤と、４０重量％までの付加水とを含有する、塗料成分；および
Ｂ）２５〜４５重量％の噴射ガス成分であって、該噴射ガス成分に対して少なくとも７５重量％のジメチルエーテルを含有する、噴射ガス成分
を含む、水系塗料組成物。
【請求項２】
前記塗膜形成製剤は、３０〜５５重量％の固形分を有する、請求項１記載の水系塗料組成物。
【請求項３】
前記塗膜形成製剤は、コロイド水分散液中に存在する又はコアシェル構造として存在するスチレンアクリレート共重合体を含有する、請求項１又は２記載の水系塗料組成物。
【請求項４】
前記スチレンアクリレート共重合体は、４０重量％未満のスチレン含有量を有する、請求項３記載の水系塗料組成物。
【請求項５】
前記塗料成分の塗膜形成剤は、５〜６０℃の範囲の最低造膜温度ＭＦＴを有する、請求項１〜４いずれか１項記載の水系塗料組成物。
【請求項６】
前記水混和性極性溶剤の割合は、前記塗料成分の６重量％未満である、請求項１〜５いずれか１項記載の水系塗料組成物。
【請求項７】
前記水混和性極性溶剤はアルコールである、請求項１〜６いずれか１項記載の水系塗料組成物。
【請求項８】
前記アルコールは、Ｃ２〜Ｃ４アルコール、グリコール、ジグリコール、又はグリコール若しくはジグリコールのＣ１〜Ｃ４アルコールとのモノエーテルである、請求項７記載の水系塗料組成物。
【請求項９】
前記塗料成分は、消泡剤を０．１〜２．０重量％の量で含有する、請求項１〜８いずれか１項記載の水系塗料組成物。
【請求項１０】
前記塗料成分は、増粘剤及びチキソトロープ剤を０．２〜４．０重量％の量で含有する、請求項１〜９いずれか１項記載の水系塗料組成物。
【請求項１１】
前記噴射ガス成分の量が３０〜４０重量％である、請求項１〜１０いずれか１項記載の水系塗料組成物。
【請求項１２】
前記噴射ガス成分が、該噴射ガス成分の少なくとも９０重量％のジメチルエーテルを含有する、請求項１〜１１いずれか１項記載の水系塗料組成物。
【請求項１３】
前記噴射ガス成分が、ジメチルエーテルからなる、請求項１〜１２いずれか１項記載の水系塗料組成物。
【請求項１４】
エアゾール缶内に収容されている、請求項１〜１３いずれか１項記載の水系塗料組成物。
【請求項１５】
装飾塗料又は保護塗料としての、請求項１４記載の水系塗料組成物の使用。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
式（ＶＩ）：
【化１】
2016510033.tif 000001
［式中：
Ｒ６はＨであるか、または２個の隣接するＲ６基がシクロアルキルを形成し；
Ｒ７はＮＨ２、またはＯＨより独立して選択され；
Ｒ８は
【化２】
2016510033.tif 000002
より独立して選択される］
で示される化合物、あるいはそのエナンチオマー、ジアステレオマー、立体異性体、または医薬的に許容される塩。
【請求項２】
以下の化合物から選択される、請求項１に記載の化合物またはその医薬的に許容される塩：
（Ｒ）−２−アミノ−３−（３，４−ジクロロフェニル）−Ｎ−（３−メトキシ−４−（１Ｈ−ピラゾール−４−イル）フェニル）プロパンアミド；
（Ｒ）−２−アミノ−Ｎ−（３−メトキシ−４−（１Ｈ−ピラゾール−４−イル）フェニル）−３−（ナフタレン−２−イル）プロパンアミド；
（Ｒ）−２−アミノ−３−（１Ｈ−インドール−３−イル）−Ｎ−（３−メトキシ−４−（１Ｈ−ピラゾール−４−イル）フェニル）プロパンアミド；
（Ｒ）−２−アミノ−Ｎ−（３−メトキシ−４−（１Ｈ−ピラゾール−４−イル）フェニル）−３−フェニルプロパンアミド；
（Ｓ）−２−アミノ−３−（ベンゾ［ｂ］チオフェン−３−イル）−Ｎ−（３−メトキシ−４−（１Ｈ−ピラゾール−４−イル）フェニル）プロパンアミド；
（＋／−）−２−アミノ−Ｎ−（３−メトキシ−４−（１Ｈ−ピラゾール−４−イル）フェニル）−３−（１Ｈ−ピロロ［２，３−ｂ］ピリジン−２−イル）プロパンアミド；
（Ｒ）−２−アミノ−Ｎ−（３−メトキシ−４−（１Ｈ−ピラゾール−４−イル）フェニル）−３−（３−（トリフルオロメチル）フェニル）プロパンアミド；
（Ｒ）−２−アミノ−Ｎ−（３−メトキシ−４−（１Ｈ−ピラゾール−４−イル）フェニル）−３−（２−（トリフルオロメチル）フェニル）プロパンアミド；
（Ｒ）−３−（［１，１’−ビフェニル］−４−イル）−２−アミノ−Ｎ−（３−メトキシ−４−（１Ｈ−ピラゾール−４−イル）フェニル）プロパンアミド；
（Ｒ）−２−アミノ−３−（３，５−ジフルオロフェニル）−Ｎ−（３−メトキシ−４−（１Ｈ−ピラゾール−４−イル）フェニル）プロパンアミド；
（１Ｒ，２Ｓ）−１−アミノ−Ｎ−（３−メトキシ−４−（１Ｈ−ピラゾール−４−イル）フェニル）−２−フェニルシクロプロパンカルボキシアミド；
（Ｒ）−２−アミノ−３−（２−クロロフェニル）−Ｎ−（３−メトキシ−４−（１Ｈ−ピラゾール−４−イル）フェニル）プロパンアミド。
【請求項３】
請求項１〜２のいずれか一項に記載の１または複数の化合物またはその医薬的に許容される塩と、医薬的に許容される担体または希釈剤とを含む、医薬組成物。
【請求項４】
治療において用いるための請求項３に記載の組成物。
【請求項５】
異常なＲｈｏキナーゼ活性に付随する障害を予防および／または治療するための請求項３に記載の組成物。
【請求項６】
障害が、心血管障害、平滑筋関連性障害、線維症、炎症疾患、神経障害、腫瘍性障害および自己免疫障害からなる群より選択される、請求項５に記載の組成物。
【請求項７】
心血管障害が、狭心症、アテローム性動脈硬化症、脳卒中、脳血管疾患、心不全、冠動脈疾患、心筋梗塞、末梢血管性疾患、狭窄症、血管攣縮、高血圧症および肺高血圧症からなる群より選択される、請求項６に記載の組成物。
【請求項８】
平滑筋関連性障害が、緑内障、勃起機能障害、および気管支喘息からなる群より選択される、請求項６に記載の組成物。
【請求項９】
自己免疫障害が、関節リウマチ、全身性エリテマトーデス、多発性硬化症、過敏性大腸症候群、および全身性硬化症からなる群より選択される、請求項６に記載の組成物。
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
γ−ヒドロキシ酪酸塩若しくはエステル（GHB）又はその塩を含む、現在GHB又はその塩を服用している患者の、発作性睡眠における脱力発作、又は、発作性睡眠における日中の過剰な眠気を治療するための医薬組成物であって、当該患者は、ジバルプロエクス・ナトリウム又はジクロフェナクを同時に投与されており；
当該医薬組成物は、ジバルプロエクス・ナトリウム又はジクロフェナクによって生ずる作用を相殺するために調節されるGHB又はその塩の用量での投与用に調製されている、前記医薬組成物。
【請求項２】
前記GHB又はその塩の用量が、ジバルプロエクス・ナトリウム又はジクロフェナクの同時投与がない場合に使用されるGHB又はその塩の4.5 g〜9 gの1日投与量と比べて、ジバルプロエクス・ナトリウム又はジクロフェナクの同時投与の間少なくとも15％調節される、請求項1記載の医薬組成物。
【請求項３】
γ−ヒドロキシ酪酸塩若しくはエステル（GHB）又はその塩を含む、現在GHB又はその塩を服用している患者の、日中の過剰な眠気、脱力発作、睡眠まひ、無呼吸、発作性睡眠、睡眠時間障害、入眠時幻覚、睡眠覚醒、不眠症、又は夜間ミオクロヌスを治療するための医薬組成物であって、当該患者は、ジバルプロエクス・ナトリウムを同時に投与されており、
当該医薬組成物は、ジバルプロエクス・ナトリウムの同時投与がない場合に一般に使用されるGHB又はその塩の4.5 g〜9 gの1日投与量と比べて、ジバルプロエクス・ナトリウムの同時投与の間少なくとも15%低減されるGHB又はその塩の1日投与量での投与用に調製されている、前記医薬組成物。
【請求項４】
ジバルプロエクス・ナトリウムの同時投与の間約15%〜25%低減されるGHB又はその塩の1日投与量での投与用に調製されている、請求項3記載の医薬組成物。
【請求項５】
ジバルプロエクス・ナトリウムの同時投与の間約20%低減されるGHB又はその塩の1日投与量での投与用に調製されている、請求項3記載の医薬組成物。
【請求項６】
ジバルプロエクス・ナトリウムの同時投与がない場合に一般に使用されるGHB又はその塩の1日投与量が4.5 gである、請求項3記載の医薬組成物。
【請求項７】
前記GHB又はその塩の濃度が350〜750mg／mLである製剤として調製されている、請求項1〜6のいずれか一項記載の医薬組成物。
【請求項８】
前記GHB又はその塩の濃度が450〜550mg／mLである製剤として調製されている、請求項1〜6のいずれか一項記載の医薬組成物。
【請求項９】
6〜10の間のpHを有する製剤として調製されている、請求項1〜6のいずれか一項記載の医薬組成物。
【請求項１０】
6.5〜8の間のpHを有する製剤として調製されている、請求項1〜6のいずれか一項記載の医薬組成物。
【請求項１１】
前記塩が、γ−ヒドロキシ酪酸のナトリウム塩（Na・GHB）、γ−ヒドロキシ酪酸のカリウム塩（K・GHB）、γ−ヒドロキシ酪酸のマグネシウム塩（Mg・（GHB）2）、及びγ−ヒドロキシ酪酸のカルシウム塩（Ca・（GHB）2）からなる群から選択されるGHBの塩の単一物又は混合物を含む、請求項1〜6のいずれか一項記載の医薬組成物。
【請求項１２】
γ−ヒドロキシ酪酸塩若しくはエステル（GHB）又はその塩を含む、現在GHB又はその塩を服用している患者の、日中の過剰な眠気、脱力発作、睡眠まひ、無呼吸、発作性睡眠、睡眠時間障害、入眠時幻覚、睡眠覚醒、不眠症、又は夜間ミオクロヌスを治療するための医薬組成物であって、当該患者がジバルプロエクス・ナトリウムの同時投与を受けている際には、前記GHB又はその塩が調節された投与量で経口投与されるように調製されている、前記医薬組成物。
【請求項１３】
前記調節された投与量が、ジバルプロエクス・ナトリウムの同時投与がない場合に当該患者に与えられる前記GHB又はその塩の用量の少なくとも15％、20％、25％、30％、35％、40％、45％、又は50％低減されている、請求項12記載の医薬組成物。
【請求項１４】
γ−ヒドロキシ酪酸塩若しくはエステル（GHB）又はその塩を含む、発作性睡眠に罹患している患者を治療するための医薬組成物であって、当該患者は併用用量のジバルプロエクス・ナトリウムを服用しており、かつ、当該医薬組成物は、前記GHB又はその塩の調節された投与量での経口投与用に調製されており、当該調節された投与量が、ジバルプロエクス・ナトリウムの同時投与がない場合に当該患者に投与される用量と比べて約15％〜25％の範囲の間で低減されている、前記医薬組成物。
【請求項１５】
γ−ヒドロキシ酪酸塩若しくはエステル（GHB）又はその塩を含む、発作性睡眠に罹患している患者を治療するための医薬組成物であって、当該患者はGHB又はその塩を処方されており、かつ、当該医薬組成物において提供されるGHB又はその塩の用量が、該ジバルプロエクス・ナトリウムによって生ずる作用を相殺するために、少なくとも65％、60％、55％、50％、45％、40％、35％、30％、25％、20％、又は15％低減されている、前記医薬組成物。
【請求項１６】
γ−ヒドロキシ酪酸塩若しくはエステル（GHB）又はその塩を含む、日中の過剰な眠気、脱力発作、睡眠まひ、無呼吸、発作性睡眠、睡眠時間障害、入眠時幻覚、睡眠覚醒、不眠症、又は夜間ミオクロヌスに罹患している患者を治療するための医薬組成物であって、当該患者がジクロフェナクの同時投与を受けている際には、前記GHB又はその塩が調節された投与量で経口投与されるように調製されている、前記医薬組成物。
【請求項１７】
前記調節された投与量が、ジクロフェナクの同時投与がない場合に当該患者に投与されるGHB又はその塩の用量の少なくとも15％、20％、25％、30％、35％、40％、45％、又は50％増加されている、請求項16記載の医薬組成物。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
無機亜硝酸塩を含有する、駆出率が保たれた心不全（ＨＦｐＥＦ）を治療するための薬剤。
【請求項２】
その投与が、右心房圧、肺動脈圧、肺毛細管楔入圧、および肺血管抵抗のうちの一つまたは複数を減少させるためのものである、請求項１に記載の薬剤。
【請求項３】
その投与が心係数を改善するためのものである、請求項１に記載の薬剤。
【請求項４】
その投与が運動能力を上昇させるためのものである、請求項１に記載の薬剤。
【請求項５】
前記ＨＦｐＥＦが肺高血圧症と関連している、請求項１に記載の薬剤。
【請求項６】
肺毛細管楔入圧、右心房圧および肺動脈圧のうちの一つまたは複数を減少させるための薬剤であって、治療有効用量の無機亜硝酸塩を含み、係る投与が血圧の有意な低下および心拍数の増加を引き起こさない薬剤。
【請求項７】
拡張期心不全と関連している肺高血圧症、収縮期心不全と関連している肺高血圧症、間質性肺疾患、随伴性肺動脈高血圧症及び特発性肺動脈高血圧症を含む肺動脈高血圧症、並びに睡眠呼吸障害関連肺高血圧症から選択される一つまたは複数の状態の治療のための、請求項６に記載の薬剤。
【請求項８】
治療される心不全がＨＦｐＥＦおよび／またはＨＰｒＥＦをさらに含む、請求項７に記載の薬剤。
【請求項９】
運動能力を上昇させるための薬剤であって、無機亜硝酸塩を含み、一つまたは複数の用量で投与される薬剤。
【請求項１０】
無機亜硝酸塩を含有する、肺高血圧症および／または肺動脈高血圧症を治療するための薬剤。
【請求項１１】
収縮期心不全と関連している肺高血圧症、間質性肺疾患、随伴性肺動脈高血圧症及び特発性肺動脈高血圧症を含む肺動脈高血圧症、並びに睡眠呼吸障害関連肺高血圧症を有する対象に投与される、請求項１０に記載の薬剤。
【請求項１２】
前記随伴性肺動脈高血圧症が結合組織病と関連している、請求項７または１１に記載の薬剤。
【請求項１３】
前記結合組織病が強皮症である、請求項１２に記載の薬剤。
【請求項１４】
吸入一酸化窒素に対し非応答性である対象に対して投与される、請求項１、６、９、または１０に記載の薬剤。
【請求項１５】
前記無機亜硝酸塩が吸入によって投与される、請求項１、６、９、または１０に記載の薬剤。
【請求項１６】
液剤である、請求項１５に記載の薬剤。
【請求項１７】
乾燥粉末製剤である、請求項１５に記載の薬剤。
【請求項１８】
前記無機亜硝酸塩が噴霧される、請求項１６に記載の薬剤。
【請求項１９】
前記無機亜硝酸塩が９０ｍｇ以下の放出用量で投与される、請求項１８に記載の薬剤。
【請求項２０】
前記無機亜硝酸塩が４５ｍｇ〜９０ｍｇの放出用量で投与される、請求項１８に記載の薬剤。
【請求項２１】
前記無機亜硝酸塩が２５ｍｇ〜８０ｍｇの放出用量で投与される、請求項１８に記載の薬剤。
【請求項２２】
前記無機亜硝酸塩が漸増的設定用量で投与される、請求項１５に記載の薬剤。
【請求項２３】
前記無機亜硝酸塩が９０ｍｇ未満の一つまたは複数の用量で投与され、その後、８０ｍｇ〜９０ｍｇの最終放出用量まで段階的に増量する一つまたは複数の用量で投与される、請求項２２に記載の薬剤。
【請求項２４】
４マイクロモーラー〜１５マイクロモーラーの血漿中亜硝酸塩濃度をもたらす用量で投与される、請求項１、６、９、または１０に記載の薬剤。
【請求項２５】
前記無機亜硝酸塩が亜硝酸ナトリウムである、請求項１、６、９、または１０に記載の薬剤。
【手続補正２】
【補正対象書類名】明細書
【補正対象項目名】００１１
【補正方法】変更
【補正の内容】
【００１１】
別の実施形態において、治療有効用量の無機亜硝酸塩を投与することによって、肺毛細管楔入圧増加、右心房圧増加および肺動脈圧増加のうちの一つまたは複数をもたらす状態を有する対象における、肺毛細管楔入圧、右心房圧および肺動脈圧のうちの一つまたは複数を減少させる方法が本明細書で開示される。本明細書で開示される本方法および他の用法のさらなる実施形態では、無機亜硝酸塩の投与は、無機亜硝酸塩の投与後に血圧の有意な低下および心拍数の増加を伴わない。本実施形態の一態様では、亜硝酸塩は乾燥粉末または液体として吸入によって投与される。本実施形態のいくつかの態様では、前記液体は噴霧される。本実施形態のいくつかの態様では、対象は吸入一酸化窒素に対し非応答性である。